(57)【要約】【課題】  携帯端末を所持するユーザの危険性を低減する。【解決手段】  携帯端末１０は、表示画面上に情報の表示を行うと共に、当該表示画面に対する接触を検出して当該接触による自端末１０に対する操作を受け付けるタッチパネル１１と、自端末１０の物理的な状態を検出する状態検出部２１と、状態検出部２１によって検出された状態に基づいて、自端末１０を携帯しているユーザが歩行しているか否かを判定する歩行判定部２２と、歩行判定部２２による判定に応じて、タッチパネル１１によって受け付けられた操作に応じた自端末の動作を設定する制御手段とを備える。【選択図】  図２
2015186182.tif 000002
【特許請求の範囲】
【請求項１】
表示画面上に情報の表示を行うと共に、当該表示画面に対する接触を検出して当該接触による自端末に対する操作を受け付ける表示手段と、
自端末の物理的な状態を検出する状態検出手段と、
前記状態検出手段によって検出された状態に基づいて、自端末を携帯しているユーザが歩行しているか否かを判定する歩行判定手段と、
前記歩行判定手段による判定に応じて、前記表示手段によって受け付けられた操作に応じた自端末の動作を設定する制御手段と、
を備える携帯端末。
【請求項２】
前記状態検出手段は、自端末の物理的な状態として、自端末の速度、加速度又は姿勢を検出する請求項１に記載の携帯端末。
【請求項３】
前記状態検出手段は、自端末の姿勢を検出し、
前記制御手段は、前記状態検出手段によって検出された自端末の姿勢にも応じて、前記表示手段によって受け付けられた操作に応じた自端末の動作を設定する、請求項１又は２に記載の携帯端末。
【請求項４】
前記制御手段は、前記表示手段によって受け付けられた操作に応じた自端末の動作を設定すると共に前記表示手段による表示を禁止する請求項１〜３の何れか一項に記載の携帯端末。
【請求項５】
時系列な撮像を行う撮像手段を更に備え、
前記制御手段は、前記撮像手段による時系列な撮像によって得られた画像に基づいて、自端末がユーザの手に持たれているか否かを判定し、当該判定にも応じて、前記表示手段によって受け付けられた操作に応じた自端末の動作を設定する、請求項１〜４の何れか一項に記載の携帯端末。
【請求項６】
表示画面上に情報の表示を行うと共に、当該表示画面に対する接触を検出して当該接触による自端末に対する操作を受け付ける表示手段を備える携帯端末の動作方法である制御方法であって、
自端末の物理的な状態を検出する状態検出ステップと、
前記状態検出ステップにおいて検出された状態に基づいて、自端末を携帯しているユーザが歩行しているか否かを判定する歩行判定ステップと、
前記歩行判定ステップにおける判定に応じて、前記表示手段によって受け付けられた操作に応じた自端末の動作を設定する制御ステップと、
を含む制御方法。
【発明の詳細な説明】
【技術分野】
【０００１】
本発明は、タッチパネル等の情報の表示を行うと共に接触による自端末に対する操作を受け付ける表示手段を備える携帯端末、及び当該携帯端末の制御方法に関する。
【背景技術】
【０００２】
近年、スマートフォン等の携帯端末において、タッチパネルの搭載が増えている。これらの端末では、情報の表示、及び操作のほとんどがタッチパネルで行われる。例えば、特許文献１には、このような端末において、タッチパネルに情報を表示すると共に、タッチパネルによる表示された情報に対する操作を受け付けることが記載されている。
【先行技術文献】
【特許文献】
【０００３】
【特許文献１】特開２０１３−１０５４６１号公報
【発明の概要】
【発明が解決しようとする課題】
【０００４】
歩行中にスマートフォン等の携帯端末を利用することにより、通行人にぶつかったり、自転車やバイク等との接触事故が発生し、けが人が多く発生するといったりといったトラブルが起こりやすい。また、注意力が散漫になることにより、不審者のターゲットになりやすい。特に、フィーチャーホンに比べ、スマートフォンでは、ブラウザ上の情報量が多くなったこと、及びタッチパネル操作になったことで画面を注視する時間が長くなってきており、危険性が高まっている。特に、歩行中にタッチパネルに対する操作を行うことは危険性が高い。
【０００５】
本発明は、以上の問題点を解決するためになされたものであり、携帯端末を所持するユーザの危険性を低減することができる携帯端末及び制御方法を提供することを目的とする。
【課題を解決するための手段】
【０００６】
上記の目的を達成するために、本発明に係る携帯端末は、表示画面上に情報の表示を行うと共に、当該表示画面に対する接触を検出して当該接触による自端末に対する操作を受け付ける表示手段と、自端末の物理的な状態を検出する状態検出手段と、状態検出手段によって検出された状態に基づいて、自端末を携帯しているユーザが歩行しているか否かを判定する歩行判定手段と、歩行判定手段による判定に応じて、表示手段によって受け付けられた操作に応じた自端末の動作を設定する制御手段と、を備える。
【０００７】
本発明に係る携帯端末では、ユーザが歩行していると判定される場合には、接触による操作に応じた自端末の動作が設定される。当該設定をユーザが表示画面を見なくてもよいものとすれば、携帯端末を所持するユーザが歩行している場合には、表示画面を見ずに操作を行わせることができる。即ち、本発明に係る携帯端末によれば、携帯端末を所持するユーザの危険性を低減することができる。
【０００８】
状態検出手段は、自端末の物理的な状態として、自端末の速度、加速度又は姿勢を検出することとしてもよい。この構成によれば、確実にユーザが歩行しているか否かを判定することができる。従って、この構成によれば、確実に携帯端末を所持するユーザの危険性を低減することができる。
【０００９】
状態検出手段は、自端末の姿勢を検出し、制御手段は、状態検出手段によって検出された自端末の姿勢にも応じて、表示手段によって受け付けられた操作に応じた自端末の動作を設定する、こととしてもよい。この構成によれば、ユーザが自端末の姿勢を把握できていない場合であっても、ユーザに適切に操作を行わせることができる。
【００１０】
制御手段は、表示手段によって受け付けられた操作に応じた自端末の動作を設定すると共に表示手段による表示を禁止することとしてもよい。この構成によれば、ユーザの歩行中に、ユーザが表示画面を見ることを防止することができる。従って、この構成によれば、携帯端末を所持するユーザの危険性を更に低減することができる。
【００１１】
携帯端末は、時系列な撮像を行う撮像手段を更に備え、制御手段は、撮像手段による時系列な撮像によって得られた画像に基づいて、自端末がユーザの手に持たれているか否かを判定し、当該判定にも応じて、表示手段によって受け付けられた操作に応じた自端末の動作を設定する、こととしてもよい。この構成によれば、必要な場合のみに接触による操作に応じた自端末の動作を設定することができる。
【００１２】
ところで、本発明は、上記のように携帯端末の発明として記述できる他に、以下のように制御方法の発明としても記述することができる。これはカテゴリが異なるだけで、実質的に同一の発明であり、同様の作用及び効果を奏する。
【００１３】
即ち、本発明に係る制御方法は、表示画面上に情報の表示を行うと共に、当該表示画面に対する接触を検出して当該接触による自端末に対する操作を受け付ける表示手段を備える携帯端末の動作方法である制御方法であって、自端末の物理的な状態を検出する状態検出ステップと、状態検出ステップにおいて検出された状態に基づいて、自端末を携帯しているユーザが歩行しているか否かを判定する歩行判定ステップと、歩行判定ステップにおける判定に応じて、表示手段によって受け付けられた操作に応じた自端末の動作を設定する制御ステップと、を含む。
【発明の効果】
【００１４】
本発明では、ユーザが歩行していると判定される場合には、接触による操作に応じた自端末の動作が設定される。当該設定をユーザが表示画面を見なくてもよいものとすれば、携帯端末を所持するユーザが歩行している場合には、表示画面を見ずに操作を行わせることができる。即ち、本発明によれば、携帯端末を所持するユーザの危険性を低減することができる。
【図面の簡単な説明】
【００１５】
【図１】本発明の実施形態に係る携帯端末の外観を示す図である。
【図２】本発明の実施形態に係る携帯端末の機能構成を示す図である。
【図３】ユーザが歩行している場合のタッチパネルの操作領域を示す図である。
【図４】本発明の実施形態に係る携帯端末のハードウェア構成を示す図である。
【図５】本発明の実施形態に係る携帯端末で実行される処理である制御方法を示すフローチャートである。
【発明を実施するための形態】
【００１６】
以下、図面と共に本発明に係る携帯端末及び制御方法の実施形態について詳細に説明する。なお、図面の説明においては同一要素には同一符号を付し、重複する説明を省略する。
【００１７】
図１に本実施形態に係る携帯端末１０を示す。携帯端末１０は、ユーザ（操作者）に用いられるコンピュータであり、例えば、スマートフォン及びタブレット端末である。携帯端末１０は、ユーザによって携帯（所持）されて用いられる。携帯端末１０は、その筺体にタッチパネル１１を備えている。タッチパネル１１は、表示画面上に情報の表示を行う表示手段（ディスプレイ）である。また、タッチパネル１１は、表示画面へのユーザの接触に基づく情報の入力を行う。
【００１８】
携帯端末１０は、タッチパネル１１が設けられた主面に設けられたスピーカー１２を備えている。また、携帯端末１０は、主面に対する側面に設けられたイヤホンジャック１３を備えている。イヤホンジャック１３には、イヤホンを挿入することができる。スピーカー１２及びイヤホンジャック１３は、携帯端末１０において音声出力を行う手段である。イヤホンジャック１３にイヤホンが挿入されている場合には、音声データがイヤホンジャック１３を介してイヤホンに出力される（音声自体はイヤホンから出力される）。また、イヤホンジャック１３にイヤホンが挿入されていない場合には、音声がスピーカー１２から出力される。
【００１９】
携帯端末１０は、主面に設けられると共に撮像を行う撮像手段であるカメラ１４を備えている。携帯端末１０は、携帯端末１０を操作するための物理的なボタンであるハードキーとして、電源ボタン１５と、音量調節ボタン１６と、カメラ撮影ボタン１７とを備えている。これらのボタン１５〜１７は、携帯端末１０の主面に対する側面に設けられている。電源ボタン１５は、携帯端末１０の電源のオンオフを行うためのボタンである。電源ボタン１５が長押しされる（予め設定された時間以上、押下状態が継続した後、押下状態が終了する）と、携帯端末１０の電源のオンオフ（オンの状態であればオフに、オフの状態であればオンにする、以下同様）が行われる。電源ボタン１５が短押しされる（予め設定された時間未満、押下状態が継続した後、押下状態が終了する）と、タッチパネル１１電源のオンオフ（タッチパネル１１（ディスプレイ）のバックライトのオンオフ）が行われる。音量調節ボタン１６は、携帯端末１０から出力される音声出力の音量を上げ下げするためのボタンである。音量調節ボタン１６は、上げる方向及び音量を下げる方向の何れかに押下することができる。例えば、図１に示す音量調節ボタン１６の上側が押下されると音量が上げられ、図１に示す音量調節ボタン１６の下側が押下されると音量が下げられる。カメラ撮影ボタン１７は、カメラ１４による撮像を行うためのボタンであり、押下されると撮像が行われる。
【００２０】
携帯端末１０は、その内部に速度センサ、加速度センサ及びジャイロセンサといった自端末１０の物理的な状態を検出するセンサを備えている。
【００２１】
引き続いて、携帯端末１０の本発明に係る機能について説明する。図２に示すように携帯端末１０は、タッチパネル１１と、状態検出部２１と、歩行判定部２２と、カメラ１４と、制御部２３とを備えて構成されている。携帯端末１０は、上記の機能以外にも、移動体通信機能等の通常、スマートフォン等の装置が備える機能を備えていてもよい。
【００２２】
タッチパネル１１は、上述したように表示画面上に情報の表示を行う表示手段である。具体的には、タッチパネル１１は、例えば、ユーザの操作に応じて携帯端末１０において実行されるアプリケーションから表示画面に表示する情報を入力して、当該情報を表示する。タッチパネル１１に対して表示する情報を入力するアプリケーションは、例えば、音楽データ（音声データ）を再生するアプリケーションである。タッチパネル１１に表示される情報は、例えば、再生される楽曲の情報（曲名、歌手名等）である。また、タッチパネル１１には、ユーザが当該アプリケーションを操作するためのユーザインタフェースが表示される。具体的には、楽曲の再生及び終了、曲送り、曲戻し、音量アップ、並びに音量ダウン等のボタンが表示される。
【００２３】
タッチパネル１１は、表示画面に対する接触（タッチ）を検出（検知）して、当該接触による自端末１０に対する操作（タッチ操作）を受け付ける。例えば、タッチパネル１１は、表示画面に対してユーザの指等が接触することによる静電容量の変化を検出し、これらの変化に基づく操作の入力を行う。タッチパネル１１は、表示画面における、ユーザの指等が接触された位置を検出して、当該位置における操作の入力を行う。ユーザの指等が接触された位置を示す情報は、具体的には例えば、タッチパネル１１の表示画面の座標（座標軸上の位置）である。携帯端末１０では、当該入力された操作に応じた動作が行われる。
【００２４】
具体的には、タッチパネル１１に表示された、ユーザが当該アプリケーションを操作するためのユーザインタフェースの部分に接触されると、当該部分に応じた動作が行われる。上述したように上記のボタンが表示された部分に接触されると、当該ボタンに応じた動作が行われる。
【００２５】
状態検出部２１は、自端末１０の物理的な状態を検出する状態検出手段である。状態検出部２１によって、検出される自端末１０の物理的な状態は、携帯端末１０を携帯しているユーザが歩行しているか否かを判定するためのものである。具体的には、状態検出部２１は、自端末１０の物理的な状態として、自端末１０の速度、加速度又は姿勢を検出する。状態検出部２１は、携帯端末１０が備える速度センサ、加速度センサ及びジャイロセンサといったセンサにより上記の検出を行う。速度センサによって自端末１０の速度が、加速度センサによって自端末１０の加速度が、ジャイロセンサによって自端末１０の姿勢（自端末１０の上下左右の状態であり、例えば、重力方向に対する自端末１０の傾き）がそれぞれ検出される。なお、上記の各センサは、従来から用いられているものを用いることができる。また、ユーザの歩行を判定できれば、上記の各センサは携帯端末１０に全て設けられている必要はなく、何れかのセンサが設けられていればよい。また、ユーザの歩行を判定できれば、上記以外のセンサが用いられてもよい。
【００２６】
状態検出部２１は、例えば、リアルタイムに上記の状態を検出する。あるいは、状態検出部２１は、一定時間毎（例えば、数秒毎）に上記の状態を検出することとしてもよい。また、状態検出部２１は、本実施形態の機能が必要になる場合（例えば、ブラウザが起動されて、タッチパネル１１にブラウザから入力された情報が表示されている場合）のみに上記の状態を検出することしてもよい。状態検出部２１は、検出した自端末１０の状態を示す情報を歩行判定部２２に出力する。
【００２７】
歩行判定部２２は、状態検出部２１によって検出された状態に基づいて、自端末１０を携帯しているユーザが歩行しているか否かを判定する歩行判定手段である。歩行判定部２２によるユーザの歩行の判定は、従来の技術と同様に行われてもよい。例えば、歩行判定部２２は、ユーザが歩行している場合の自端末１０の状態を示す状態を予め記憶しておき、状態検出部２１から入力された情報により示される状態と記憶した状態とを比較することで判定を行う。歩行判定部２２は、比較の結果、状態検出部２１から入力された情報により示される状態が、記憶した状態と一致、あるいは類似していると判断された場合には、ユーザが歩行していると判定する。歩行判定部２２は、判定結果を制御部２３に通知する。
【００２８】
カメラ１４は、上述したように撮像を行う撮像手段である。カメラ１４は、時系列な撮像を行う。カメラ１４による撮像によって得られた画像は、自端末１０がユーザの手に持たれているか否かを判定するためのものである。カメラ１４は、例えば、リアルタイムに撮像を行う。あるいは、カメラ１４は、一定時間毎（例えば、数秒毎）に撮像を行うこととしてもよい。また、状態検出部２１は、本実施形態の機能が必要になる場合のみに撮像を行うことしてもよい。カメラ１４は、撮像して得られた画像を制御部２３に出力する。
【００２９】
制御部２３は、歩行判定部２２による判定に応じて、タッチパネル１１によって受け付けられた操作に応じた自端末１０の動作を設定する制御手段である。具体的には、制御部２３は、歩行判定部２２からユーザが歩行していると判定した旨の通知を受けた場合に、タッチパネル１１によって受け付けられた操作に応じた自端末１０の動作を設定する。
【００３０】
制御部２３は、タッチパネル１１の表示画面全体を分割した領域を設定する。例えば、図３に示すように５つの領域１１ａ〜１１ｅを設定する。この領域は、角が丸い矩形のタッチパネル１１の各辺の何れかに沿った領域１１ａ〜１１ｄ、及び中央の矩形の領域１１ｅである。制御部２３は、各領域１１ａ〜１１ｅに対して接触（タッチ）された場合に、当該領域１１ａ〜１１ｅに対応付けられた機能が実行されるように制御する。上記のように、制御部２３は、ユーザが歩行中である場合には、自端末１０の入力モードを、タッチパネル１１の表示画面を５つに分割した領域１１ａ〜１１ｅによる入力（操作）を行う入力モードである５パターンモードに変更する。
【００３１】
例えば、領域１１ａ（図３に示す「１（上部）」の領域、以下同様）に接触された場合には、制御部２３は、音量アップの動作（機能）を実行するように制御する。領域１１ｃ（「３（下部）」）に接触された場合には、制御部２３は、音量ダウンの機能を実行するように制御する。領域１１ｂ（「２（右側）」）に接触された場合には、制御部２３は、曲送りの動作を実行するように制御する。領域１１ｄ（「４（左側）」）に接触された場合には、制御部２３は、曲戻しの動作を実行するように制御する。領域１１ｅ（「５（中央）」）に接触された場合には、制御部２３は、楽曲の再生又は停止（停止の状態であれば再生、再生の状態であれば停止にする）の動作を実行するように制御する。なお、領域１１ａ〜１１ｅに応じた動作の割り当ては、ユーザあるいは携帯端末１０の製造者等によって予め携帯端末１０に設定される。
【００３２】
この設定は、タッチパネル１１に表示された、操作を行うためのユーザインタフェースを参照しなくても、ユーザが操作を行うことができるようにするものである。また、この設定は、歩行が検出されていない時点でタッチパネル１１に表示されている、操作を行うためのユーザインタフェースとは異なるものである。
【００３３】
また、制御部２３は、状態検出部２１によって検出された自端末１０の姿勢にも応じて、タッチパネル１１によって受け付けられた操作に応じた自端末１０の動作を設定することとしてもよい。この場合、例えば、状態検出部２１（例えば、ジャイロセンサ）によって、自端末１０の姿勢が検出される。制御部２３は、この姿勢に基づき、タッチパネル１１の５つの領域のうち地面に対して上にあたる領域を判断して、当該領域を「１（上部）」の領域とする。このように自端末１０の姿勢にも応じて自端末１０の動作を設定することで、ユーザが自端末１０の姿勢を把握できていない場合であっても、ユーザに適切に操作を行わせることができる。なお、この場合、状態検出部２１によって検出された自端末１０の姿勢は、ユーザの歩行の判断に用いられていてもよいし、用いられていなくてもよい。
【００３４】
制御部２３は、タッチパネル１１によって受け付けられた操作に応じた自端末１０の動作を設定すると共にタッチパネル１１による表示を禁止する（表示を無効にする）こととしてもよい。例えば、制御部２３は、タッチパネル１１のバックライトをオフにする（ディスプレイをオフにする）制御を行ってもよい。
【００３５】
制御部２３の上記の制御は、ユーザが携帯端末１０を手にして、携帯端末１０の表示を見て操作しながら歩くことを防止するためのものである。従って、携帯端末１０がユーザの手に持たれて、操作されていない場合（例えば、ユーザが所持するカバンの中に携帯端末１０が入っている場合）には、必ずしも上記の制御は有効でない場合がある。そこで、制御部２３は、カメラ１４による時系列な撮像によって得られた時系列な画像に基づいて、自端末１０がユーザの手に持たれているか否かを判定することしてもよい。この判定は、従来の技術と同様に行われてもよい。例えば、撮像によって得られた複数の画像（映像）間に時間的な変化があれば、自端末１０がユーザの手に持たれていると判定する。当該変化がなければ、自端末１０がユーザの手に持たれていないと判定する。
【００３６】
制御部２３は、当該判定にも応じて、タッチパネル１１によって受け付けられた操作に応じた自端末１０の動作を設定する。制御部２３は、自端末１０がユーザの手に持たれていると判定した場合のみに上記の制御を行う。即ち、制御部２３は、ユーザが歩行中であり自端末１０がユーザの手に持たれていると判定した場合に上記の制御を行う。制御部２３は、ユーザが歩行中であると判定された場合であっても、自端末１０がユーザの手に持たれていないと判定した場合には上記の制御を行わない。
【００３７】
また、特定のボタン（例えば、電源ボタン１５）押下されると、制御部２３は、５パターンモードを終了させ、元の入力モード（携帯端末１０において実行されているアプリケーションに応じた通常の入力モード）に戻すこととしてもよい。また、タッチパネル１１による表示を禁止する制御を行っている場合には、制御部２３は、５パターンモードの終了と合わせてタッチパネル１１の表示を行う制御を行うこととしてもよい。
【００３８】
制御部２３は、歩行判定部２２からユーザが歩行していないと判定した旨の通知を受けた場合には特段の制御は行わない。即ち、この場合には、携帯端末１０は、通常のスマートフォン等と同様の動作を行う。また、５パターンモードを設定中にユーザが歩行中でなくなった場合には、制御部２３は、５パターンモードを終了させ、元の入力モードに戻すこととしてもよい。
【００３９】
引き続いて、図４に本実施形態に係る携帯端末１０のハードウェア構成を示す。図４に示すように、携帯端末１０は、ＣＰＵ（Central Processing Unit）１０１、ＲＡＭ（RandomAccess Memory）１０２、ＲＯＭ（Read Only Memory）１０３、移動体通信モジュール１０４及びアンテナ１０５等のハードウェアにより構成されている。また、携帯端末１０はハードウェアとしてタッチパネル１１、センサ１０６、スピーカー１２、カメラ１４及び操作モジュール１０７を備えている。センサ１０６は、上述した速度センサ、加速度センサ及びジャイロセンサに相当する。操作モジュール１０７は、上述した電源ボタン１５、音量調節ボタン１６及びカメラ撮影ボタン１７に相当する。これらの構成要素がプログラム等により動作することにより、上述した機能が発揮される。以上が、携帯端末１０の構成である。
【００４０】
引き続いて、図５のフローチャートを用いて、本実施形態に係る端末である携帯端末１０で実行される処理（携帯端末１０の動作方法）である制御方法を説明する。本処理に先立って、携帯端末１０では、音楽データを再生するアプリケーションが起動されており、タッチパネル１１において当該アプリケーションに応じたユーザインタフェースによるタッチ操作が可能になっている。
【００４１】
本処理では、まず、状態検出部２１によって、自端末１０の物理的な状態が検出される（Ｓ０１、状態検出ステップ）。検出される状態は、例えば、自端末１０の速度、加速度又は姿勢である。検出された自端末１０の状態を示す情報は、状態検出部２１から歩行判定部２２に入力される。続いて、歩行判定部２２によって、状態検出部２１によって検出された状態に基づいて、自端末１０を携帯しているユーザが歩行しているか否かが判定される（Ｓ０２、歩行判定ステップ）。判定結果は、歩行判定部２２から制御部２３に通知される。
【００４２】
自端末１０を携帯しているユーザが歩行していないと判定された場合（Ｓ０２のＮＯ）には、制御部２３による制御は行われず、通常の動作が行われる（Ｓ０３）。
【００４３】
自端末１０を携帯しているユーザが歩行していないと判定された場合（Ｓ０２のＹＥＳ）には、制御部２３による制御が以下のように行われる。まず、制御部２３による制御によって、タッチパネル１１（ディスプレイ）のバックライトがオフ（表示無効）にされる（Ｓ０４、制御ステップ）。また、本処理と併せて、タッチパネル１１によって受け付けられた操作に応じた自端末１０の動作が、制御部２３によって設定される。具体的には、入力モードが図３に示すような５パターンモードに変更される（Ｓ０５、制御ステップ）。
【００４４】
ここで、携帯端末１０のユーザが、タッチパネル１１の表示画面に対して接触による操作（タッチ操作）を行った場合、タッチパネル１１によって当該操作が受け付けられる（Ｓ０６、操作受付ステップ）。携帯端末１０では、５パターンモードに基づき、タッチ操作に応じた動作が行われるように制御部２３による制御が行われる（Ｓ０７、制御ステップ）。この動作は、上述したように携帯端末１０で実行されているアプリケーションに応じたものである。例えば、上述したように、図３に示す領域１１ａに接触された場合には、制御部２３によって、音量アップの動作（機能）が実行されるように制御される。
【００４５】
タッチ操作の受け付け及び５パターンモードでのタッチ操作に応じた動作（Ｓ０６及びＳ０７の処理）は、５パターンモードが終了するまで繰り返し行われる。
【００４６】
なお、タッチパネル１１によって受け付けられた操作に応じた自端末１０の動作の設定（５パターンモードのどの領域がどの動作を行うかの割り当て）（Ｓ０４）は、状態検出部２１によって検出された自端末１０の姿勢にも応じて行うこととしてもよい。また、カメラ１４によって撮像された画像に基づいて、携帯端末１０がユーザの手に持たれているか否かが判定されて、当該判定にも応じて５パターンモードへの変更が行われるようにしてもよい。
【００４７】
また、５パターンモード中及び５パターンモードへの変更中（Ｓ０４〜Ｓ０７）に、電源ボタン１５が押下されると、制御部２３による制御によって、タッチパネル１１（ディスプレイ）のバックライトがオンにされると共に５パターンモードが終了され、元の入力モードに戻ってもよい。また、５パターンモード中にユーザが歩行中でなくなった場合には、制御部２３による制御によって、５パターンモードが終了され、元の入力モードに戻ってもよい。以上が、携帯端末１０で実行される処理である。
【００４８】
上述したように本実施形態によれば、ユーザが歩行していると判定される場合には、例えば、上述した５パターンモードのように、タッチパネル１１への接触による操作に応じた携帯端末１０の動作が設定される。当該設定をユーザが表示画面を見なくてもよいものとすれば、携帯端末１０を所持するユーザが歩行している場合には、表示画面を見ずに操作を行わせることができる。これにより、歩行中に周囲に対する注意力が散漫になることを防ぎ、衝突事故等を減少させることができる。従って、本実施形態によれば、携帯端末１０の危険な利用を防止することができる。即ち、本実施形態によれば携帯端末１０を所持するユーザの危険性を低減することができ、ユーザは安全に携帯端末１０を利用することができる。なお、タッチ操作に応じた動作は上述した５パターンモードに限られず、ユーザが表示画面を見ずに操作できるものであればどのようなものでもよい。
【００４９】
また、上述したように、ユーザの歩行を判断するための情報としては、例えば、自端末１０の速度、加速度又は姿勢を用いることとしてもよい。この構成によれば、確実にユーザが歩行しているか否かを判定することができる。従って、この構成によれば、確実に携帯端末を所持するユーザの危険性を低減することができる。但し、ユーザが歩行していると判定できれば、上記以外の情報を用いることとしてもよい。
【００５０】
また、上述したように、携帯端末１０の姿勢にも応じて、タッチパネル１１によって受け付けられた操作に応じた携帯端末１０の動作を設定することとしてもよい。この構成によれば、ユーザが携帯端末１０の姿勢を把握できていない場合であっても、ユーザに適切に操作を行わせることができる。例えば、携帯端末１０の姿勢にかかわらず、地面に対して上にあたる領域に同一の動作を割り当てることで、ユーザに適切に操作を行わせることができる。
【００５１】
また、上述したように携帯端末１０の動作を設定している間は、タッチパネル１１による表示を禁止することとしてもよい。この構成によれば、ユーザの歩行中に、ユーザが表示画面を見ることを防止することができる。従って、この構成によれば、携帯端末１０を所持するユーザの危険性を更に低減することができる。
【００５２】
また、上述したように携帯端末１０がユーザの手に持たれているか否かの判定にも応じて、携帯端末１０の動作を設定するようにしてもよい。この構成によれば、必要な場合のみに音声出力を行うことができる。
【符号の説明】
【００５３】
１０…携帯端末、１１…タッチパネル、１２…スピーカー、１３…イヤホンジャック、１４…カメラ、１５…電源ボタン、１６…音量調節ボタン、１７…カメラ撮影ボタン、２１…状態検出部、２２…歩行判定部、２３…制御部、１０１…ＣＰＵ、１０２…ＲＡＭ、１０３…ＲＯＭ、１０４…移動体通信モジュール、１０５…アンテナ、１０６…センサ、１０７…操作モジュール。
【図１】
2015186182.tif 000003
【図２】
2015186182.tif 000004
【図３】
2015186182.tif 000005
【図４】
2015186182.tif 000006
【図５】
2015186182.tif 000007